(57)【要約】本発明の実施例は、測定報告の送信方法及びユーザ機器を提供し、該測定報告の送信方法は、ユーザ機器がハンドオーバを行う際に、第１の周波数の測定報告を遅延させる、或いは送信しないステップ、を含み、第１の周波数はユーザ機器が関心のあるマルチメディアブロードキャストマルチキャストサービス（ＭＢＭＳ）を提供しない。本発明の実施例によれば、ユーザ機器が関心のあるＭＢＭＳを提供する周波数の測定報告を最も早く送信できるため、ＭＢＭＳの連続性を十分に確保できる。【選択図】図２
2015511797.tif 000002
【特許請求の範囲】
【請求項１】
ユーザ機器は、ハンドオーバを行う際に、第１の周波数の測定報告を遅延させる、或いは送信しないステップ、を含み、
前記第１の周波数は、前記ユーザ機器が関心のあるマルチメディアブロードキャストマルチキャストサービス（ＭＢＭＳ）を提供しない、測定報告の送信方法。
【請求項２】
前記ユーザ機器は、基地局がＭＢＭＳの連続性を保証できるか否かを判断するステップと、
前記基地局がＭＢＭＳの連続性を保証できない場合は、前記第１の周波数の測定報告を遅延させる、或いは送信しないステップと、をさらに含む、請求項１に記載の測定報告の送信方法。
【請求項３】
前記ユーザ機器は、第２の周波数が測定報告のトリガ条件を満たした場合は、前記第２の周波数の測定報告を直ちに送信するステップ、をさらに含み、
前記第２の周波数は、前記ユーザ機器が関心のあるＭＢＭＳを提供する、請求項１又は２に記載の測定報告の送信方法。
【請求項４】
前記ユーザ機器は、前記ＭＢＭＳの優先順位をユニキャストサービスの優先順位よりも高く設定するステップ、をさらに含む、請求項３に記載の測定報告の送信方法。
【請求項５】
前記ユーザ機器は、前記第１の周波数及び前記第２の周波数が測定報告のトリガ条件を同時に満たした場合は、前記第２の周波数の測定報告のみを直ちに送信するステップ、をさらに含む、請求項３に記載の測定報告の送信方法。
【請求項６】
前記ユーザ機器は、遅延時間が所定の第１の閾値を超えた場合は、前記第１の周波数の測定報告を送信するステップ、をさらに含む、請求項１又は２に記載の測定報告の送信方法。
【請求項７】
前記ユーザ機器は、前記第１の周波数の信号強度若しくは信号品質が所定の第２の閾値を超えた場合、及び／又は前記第２の周波数の信号強度若しくは信号品質が所定の第３の閾値よりも低い場合は、前記第１の周波数の測定報告を送信するステップ、をさらに含む、請求項１又は２に記載の測定報告の送信方法。
【請求項８】
ユーザ機器がハンドオーバを行う際に、第１の周波数の測定報告を遅延させる、或いは送信しない第１の送信手段を含み、
前記第１の周波数は、前記ユーザ機器が関心のあるマルチメディアブロードキャストマルチキャストサービス（ＭＢＭＳ）を提供しない、ユーザ機器。
【請求項９】
基地局がＭＢＭＳの連続性を保証できるか否かを判断する判断手段、をさらに含み、
前記第１の送信手段は、前記基地局がＭＢＭＳの連続性を保証できない場合は、前記第１の周波数の測定報告を遅延させる、或いは送信しない、請求項８に記載のユーザ機器。
【請求項１０】
前記基地局は、３ＧＰＰ  Ｒｅｌ  １０バージョン及びそれ以前のバージョンの基地局である、請求項９に記載のユーザ機器。
【請求項１１】
第２の周波数が測定報告のトリガ条件を満たした場合は、前記第２の周波数の測定報告を直ちに送信する第２の送信手段、をさらに含み、
前記第２の周波数は、前記ユーザ機器が関心のあるＭＢＭＳを提供する、請求項８又は９に記載のユーザ機器。
【請求項１２】
前記ＭＢＭＳの優先順位をユニキャストサービスの優先順位よりも高く設定する優先順位設定手段をさらに含む、請求項１１に記載のユーザ機器。
【請求項１３】
前記第２の送信手段は、前記第１の周波数及び前記第２の周波数が測定報告のトリガ条件を同時に満たした場合は、前記第２の周波数の測定報告のみを直ちに送信する、請求項１１に記載のユーザ機器。
【請求項１４】
前記第１の送信手段は、遅延時間が所定の第１の閾値を超えた場合は、前記第１の周波数の測定報告を送信する、請求項８又は９に記載のユーザ機器。
【請求項１５】
前記第１の送信手段は、前記第１の周波数の信号強度若しくは信号品質が所定の第２の閾値を超えた場合、及び／又は前記第２の周波数の信号強度若しくは信号品質が所定の第３の閾値よりも低い場合は、前記第１の周波数の測定報告を送信する、請求項８又は９に記載のユーザ機器。
【請求項１６】
ユーザ機器においてプログラムを実行する際に、コンピュータに、請求項１乃至７に記載の測定報告の送信方法を前記ユーザ機器において実行させる、コンピュータ読み取り可能なプログラム。
【請求項１７】
コンピュータに、請求項１乃至７に記載の測定報告の送信方法をユーザ機器において実行させるためのコンピュータ読み取り可能なプログラムを記録する、記録媒体。
【発明の詳細な説明】
【技術分野】
【０００１】
本発明は、通信分野に関し、特に測定報告の送信方法及びユーザ機器に関する。
【背景技術】
【０００２】
現在、第３世代パートナーシッププロジェクト（3GPP：The  3rd  Generation  Partnership  Project）の団体は、第４世代（4G）の移動通信システム、例えば強化ロングタームエボリューション（LTE-A：Long  Term  Evolution  Advanced）システムの研究を始めている。
【０００３】
Ｒｅｌ−１１の基地局では、Ｒｅｌ−１１のユーザ機器のマルチメディアブロードキャストマルチキャストサービス（MBMS：Multimedia  Broadcast  Multicast  Service）の連続性が確保されている。具体的には、Ｒｅｌ−１１の基地局は、Ｒｅｌ−１１のユーザ機器へＭＢＭＳの連続性を提供できる。具体的な方法として、Ｒｅｌ−１１の基地局とＲｅｌ−１１のユーザ機器は、ＭＢＭＳに関する情報を互いに提供し、Ｒｅｌ−１１の基地局はＲｅｌ−１１のユーザ機器の関心を知って、適切な基地局に該ユーザ機器を正確にハンドオーバすることができる。
【０００４】
しかし、従来のメカニズムでは、Ｒｅｌ−１１のユーザ機器がｐｒｅ−Ｒｅｌ−１１（例えばＲｅｌ−１０又はそれ以前のバージョン）の基地局の間にハンドオーバする、或いはｐｒｅ−Ｒｅｌ−１１の基地局からＲｅｌ−１１の基地局へハンドオーバする際のＭＢＭＳの連続性が考慮されていない。ｐｒｅ−Ｒｅｌ−１１の基地局では、Ｒｅｌ−１１のユーザ機器により送信された、ＭＢＭＳの連続性に関連する情報が理解されないため、ＭＢＭＳの連続性を十分に保証できないことがある。
【０００５】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００６】
本発明の実施例は、ユーザ機器がハンドオーバを行う際に、ＭＢＭＳの連続性を十分に保証できる測定報告の送信方法及びユーザ機器を提供することを目的とする。
【課題を解決するための手段】
【０００７】
本発明の実施例の一の態様では、ユーザ機器は、ハンドオーバを行う際に、第１の周波数の測定報告を遅延させる、或いは送信しないステップ、を含み、前記第１の周波数は、前記ユーザ機器が関心のあるマルチメディアブロードキャストマルチキャストサービス（ＭＢＭＳ）を提供しない、測定報告の送信方法を提供する。
【０００８】
本発明の実施例の他の態様では、ユーザ機器がハンドオーバを行う際に、第１の周波数の測定報告を遅延させる、或いは送信しない第１の送信手段を含み、前記第１の周波数は、前記ユーザ機器が関心のあるマルチメディアブロードキャストマルチキャストサービス（ＭＢＭＳ）を提供しない、ユーザ機器を提供する。
【０００９】
本発明の実施例の他の態様では、ユーザ機器においてプログラムを実行する際に、コンピュータに、上記の測定報告の送信方法を前記ユーザ機器において実行させる、コンピュータ読み取り可能なプログラムを提供する。
【００１０】
本発明の実施例の他の態様では、コンピュータに、上記の測定報告の送信方法をユーザ機器において実行させるためのコンピュータ読み取り可能なプログラムを記録する、記録媒体を提供する。
【００１１】
本発明の実施例の有益な効果としては、ユーザ機器がハンドオーバを行う際に、ユーザ機器が関心のあるＭＢＭＳを提供しない周波数の測定報告を遅延させる、或いは送信しないことで、ユーザ機器が関心のあるＭＢＭＳを提供する周波数の測定報告を最も早く送信できるため、ＭＢＭＳの連続性を十分に確保できる。
【００１２】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１３】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１４】
なお、本文では、用語「包括／含む／有する」は、特徴、部材、ステップ又はコンポーネントが存在することを指し、一つ又は複数の他の特徴、部材、ステップ又はコンポーネントの存在又は付加を排除しない。
【図面の簡単な説明】
【００１５】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。
【００１６】
本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】Ｒｅｌ−１１のユーザ機器がＲｅｌ−１０の基地局の間でハンドオーバすることを示す図である。
【図２】本発明の実施例に係る測定報告の送信方法のフローチャートである。
【図３】本発明の実施例に係る測定報告の送信方法の他のフローチャートである。
【図４】本発明の実施例に係る測定報告の送信方法の他のフローチャートである。
【図５】本発明の実施例に係る測定報告の送信方法の他のフローチャートである。
【図６】本発明の実施例に係るユーザ機器の構成を示す図である。
【図７】本発明の実施例に係るユーザ機器の他の構成を示す図である。
【発明を実施するための形態】
【００１７】
図面を参照しながら、本発明の上記及び他の特徴を説明する。下記の説明及び図面に示すように、本発明の特定の実施形態が詳細に開示され、本発明の原理を採用できる実施形態の一部が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１８】
本実施例では、Ｒｅｌ−１１のユーザ機器及びＲｅｌ−１０の基地局を例として説明する。なお、本発明はこれに限定されず、それ以前又はそれ以降のバージョンに適用されてもよい。本発明の基地局は、マクロセル（Macro  Cell）の基地局であってもよいし、ピコセル（Pico  Cell）の基地局であってもよいし、リモート無線ヘッド（RRH：Remote  Radio  Head）であってもよく、実際の状況に応じて具体的な機器を決定してもよい。
【００１９】
図１は、Ｒｅｌ−１１のユーザ機器がＲｅｌ−１０の基地局の間でハンドオーバすることを示す図である。該Ｒｅｌ−１１のユーザ機器のＭＢＭＳは周波数ｆ１で動作し、ユーザ機器が基地局１から基地局２にハンドオーバする際に、基地局１及び２がＭＢＭＳの連続性を保証できないため、ユーザ機器により受信されたＭＢＭＳはハンドオーバの途中で中断されることがある。
【００２０】
本発明は、測定報告の送信方法を提供する。図２は、本発明の実施例に係る測定報告の送信方法のフローチャートである。図２に示すように、該方法は以下のステップを含む。
【００２１】
ステップ２０１：ユーザ機器は、ハンドオーバを行う際に、第１の周波数の測定報告を遅延させる、或いは送信しない。第１の周波数は、ユーザ機器が関心のあるマルチメディアブロードキャストマルチキャストサービス（MBMS）を提供しない。
【００２２】
本実施例では、ユーザ機器がハンドオーバを行う際に、ソース基地局からターゲット基地局へハンドオーバを行ってもよいし、同一の基地局における異なる周波数の間でハンドオーバを行ってもよい。なお、これに限定されず、実際の状況に応じて具体的なシーンを決定してもよい。
【００２３】
本実施例では、第１の周波数は１つあってもよし、複数あってもよい。ユーザ機器は複数の周波数を測定してもよい。ＭＢＭＳは周波数ｆ１（第２の周波数）で作動し、ユーザ機器が関心のあるＭＢＭＳを提供しない１つ又は複数の周波数（第１の周波数）、例えばｆ２、ｆ３…等がさらに存在する。
【００２４】
本実施例では、これらの周波数ｆ２、ｆ３…等が測定報告のトリガ条件を既に満たしても、ユーザ機器はこれらの周波数の測定報告を直ちに送信することなく、遅延させる、或いは送信しない。これによって、ユーザ機器が関心のあるＭＢＭＳを提供する周波数ｆ１の測定報告を先に送信し、ｆ１に基づいてハンドオーバを行うことで、ＭＢＭＳの連続性を保証できる。
【００２５】
本実施例では、測定報告のトリガ条件は、例えばＭターゲット＞Ｍソース＋Ｏｆｆｓｅｔであってもよい。ここで、Ｍターゲットはターゲットセルの信号強度又は信号品質（例えば信号対雑音比（SNR）、信号対干渉電力と雑音比（SINR）など）を表し、Ｍソースはソースセルの信号強度又は信号品質（例えば信号対雑音比、信号対干渉電力と雑音比など）を表し、Ｏｆｆｓｅｔはオフセットを表す。従来技術を参考してもよく、ここにその説明が省略される。
【００２６】
図３は、本発明の実施例に係る測定報告の送信方法の他のフローチャートである。図３に示すように、該方法は下記のステップを含む。
【００２７】
ステップ３０１：ユーザ機器は、基地局がＭＢＭＳの連続性を保証できるか否かを判断する。基地局がＭＢＭＳの連続性を保証できない場合は、ステップ３０２を実行し、ＭＢＭＳの連続性を保証できる場合は、ステップ３０５を実行する。
【００２８】
本実施例では、該基地局は、ユーザ機器が同一の基地局においてハンドオーバを行う場合の基地局であってもよく、ユーザ機器がソース基地局からターゲット基地局へハンドオーバを行う際のソース基地局であってもよい。実際の状況に応じて具体的なシーンを決定してもよい。
【００２９】
本実施例では、ユーザ機器は、基地局から送信された情報に基づいて、ＭＢＭＳの連続性を保証できるか否かを判断してもよい。例えば、基地局はＲｅｌ−１１の基地局である場合は、ｐｒｅ−Ｒｅｌ−１１の基地局が送信できない情報（例えばＭＢＭＳの提供に関する情報）が送信される。
【００３０】
従って、Ｒｅｌ−１１のユーザ機器がこの情報を受信できる場合は、基地局がＲｅｌ−１１の基地局であり、ＭＢＭＳの連続性を保証できると判断し、Ｒｅｌ−１１のユーザ機器がこの情報を受信できない場合は、基地局がｐｒｅ−Ｒｅｌ−１１の基地局であり、ＭＢＭＳの連続性を保証できないと判断してもよい。
【００３１】
ステップ３０２：ユーザ機器は、ハンドオーバを行う際に、第２の周波数が測定報告のトリガ条件を満たしたか否かを判断する。第２の周波数は、ユーザ機器が関心のあるＭＢＭＳを提供する。第２の周波数が測定報告のトリガ条件を満たした場合は、ステップ３０３を実行し、第２の周波数が測定報告のトリガ条件を満たしていない場合は、ステップ３０４を実行する。
【００３２】
ステップ３０３：第２の周波数の測定報告を直ちに送信する。
【００３３】
本実施例では、下記の原則に従って、周波数の測定報告を直ちに送信するか否かを決定してもよい。（１）該周波数は端末が関心のあるＭＢＭＳを提供し、（２）該周波数の測定結果が測定報告のトリガ条件を満たした。
【００３４】
１つの実施例では、好ましくは、ユーザ機器は、ＭＢＭＳの優先順位をユニキャストサービスの優先順位よりも高く設定してもよい。これによって、第２の周波数ｆ１をトリガする条件がより厳しくなる。
【００３５】
もう１つの実施例では、ユーザ機器は、第１の周波数及び第２の周波数が測定報告のトリガ条件を同時に満たした場合は、第２の周波数の測定報告のみを直ちに送信する。従来技術では、複数の周波数が測定報告のトリガ条件を同時に満たした場合は、該複数の周波数の測定報告を同時に送信する。本発明は、従来技術と異なって、複数の周波数が測定報告のトリガ条件を満たしても、第２の周波数ｆ１の測定報告のみを直ちに送信することで、ＭＢＭＳの連続性を十分に確保できる。
【００３６】
ステップ３０４：ユーザ機器は、第１の周波数の測定報告を遅延させる、或いは送信しない。該第１の周波数は、ユーザ機器が関心のあるＭＢＭＳを提供しない。
【００３７】
ステップ３０５：正常な測定報告のプロセスを行う。
【００３８】
これによって、ユーザ機器が関心のあるＭＢＭＳを提供する周波数の測定報告を最も早く送信できるため、ＭＢＭＳの連続性を十分に保証できる。
【００３９】
また、ユーザ機器が関心のあるＭＢＭＳを提供する第２の周波数がずっと測定報告のトリガ条件を満たしていない場合は、ユーザ機器は更なる処理を実行する必要がある。
【００４０】
図４は、本発明の実施例に係る測定報告の送信方法の他のフローチャートである。図４に示すように、該方法は下記のステップを含む。
【００４１】
ステップ４０１：ユーザ機器は、基地局がＭＢＭＳの連続性を保証できるか否かを判断する。基地局がＭＢＭＳの連続性を保証できない場合は、ステップ４０２を実行し、ＭＢＭＳの連続性を保証できる場合は、ステップ４０６を実行する。
【００４２】
ステップ４０２：ユーザ機器は、ハンドオーバを行う際に、第２の周波数が測定報告のトリガ条件を満たしたか否かを判断する。第２の周波数は、ユーザ機器が関心のあるＭＢＭＳを提供する。第２の周波数が測定報告のトリガ条件を満たした場合は、ステップ４０３を実行し、第２の周波数が測定報告のトリガ条件を満たしていない場合は、ステップ４０４を実行する。
【００４３】
ステップ４０３：ユーザ機器は、第２の周波数の測定報告を直ちに送信する。
【００４４】
ステップ４０４：ユーザ機器は、第１の周波数の測定報告を遅延させる、或いは送信しない。該第１の周波数は、ユーザ機器が関心のあるＭＢＭＳを提供しない。
【００４５】
ステップ４０５：ユーザ機器は、遅延時間が所定の第１の閾値を超えたか否かを判断し、遅延時間が所定の第１の閾値を超えた場合は、ステップ４０６を実行し、遅延時間が所定の第１の閾値を超えていない場合は、ステップ４０２を実行する。
【００４６】
ステップ４０６：ユーザ機器は、正常な測定報告を行う。
【００４７】
例えば、第１の周波数の測定報告のトリガ条件が満たされた場合は、該第１の周波数の測定報告を送信する。
【００４８】
図５は、本発明の実施例に係る測定報告の送信方法の他のフローチャートである。図５に示すように、該方法は下記のステップを含む。
【００４９】
ステップ５０１：ユーザ機器は、基地局がＭＢＭＳの連続性を保証できるか否かを判断する。基地局がＭＢＭＳの連続性を保証できない場合は、ステップ５０２を実行し、ＭＢＭＳの連続性を保証できる場合は、ステップ５０６を実行する。
【００５０】
ステップ５０２：ユーザ機器は、ハンドオーバを行う際に、第２の周波数が測定報告のトリガ条件を満たしたか否かを判断する。第２の周波数は、ユーザ機器が関心のあるＭＢＭＳを提供する。第２の周波数が測定報告のトリガ条件を満たした場合は、ステップ５０３を実行し、第２の周波数が測定報告のトリガ条件を満たしていない場合は、ステップ５０４を実行する。
【００５１】
ステップ５０３：ユーザ機器は、第２の周波数の測定報告を直ちに送信する。
【００５２】
ステップ５０４：ユーザ機器は、第１の周波数の測定報告を遅延させる、或いは送信しない。該第１の周波数は、ユーザ機器が関心のあるＭＢＭＳを提供しない。
【００５３】
ステップ５０５：ユーザ機器は、第１の周波数の信号強度若しくは信号品質（例えば信号対雑音比、信号対干渉電力と雑音比など）が所定の第２の閾値を超えるか否か、及び／又は第２の周波数の信号強度若しくは信号品質（例えば信号対雑音比、信号対干渉電力と雑音比など）が所定の第３の閾値よりも低いか否かを判断する。判断結果がＹＥＳの場合は、ステップ５０６を実行し、そうでない場合は、ステップ５０２を実行する。
【００５４】
本実施例では、第１の周波数の信号強度又は信号品質が所定の第２の閾値を超えると、周波数ｆ２、ｆ３…等が比較的に重要であり、ＭＢＭＳを中断する必要があると示す。また、第２の周波数の信号強度又は信号品質が所定の第３の閾値よりも低いと、ｆ１の測定結果が悪く、ＭＢＭＳを続けて提供しないほうがよく、ＭＢＭＳを中断する必要があると示す。
【００５５】
ステップ５０６：ユーザ機器は、正常な測定報告を行う。
【００５６】
上記の実施例によれば、ユーザ機器がハンドオーバを行う際に、ユーザ機器が関心のあるＭＢＭＳを提供しない周波数の測定報告を遅延させる、或いは送信しないことで、ユーザ機器が関心のあるＭＢＭＳを提供する周波数の測定報告を最も早く送信できるため、ＭＢＭＳの連続性を十分に確保できる。
【００５７】
本発明の実施例はユーザ機器をさらに提供する。上記方法の実施例と同じ内容について、説明が省略される。
【００５８】
図６は、本発明の実施例に係るユーザ機器の構成を示す図である。図６に示すように、ユーザ機器６００は第１の送信部６０１を含み、該ユーザ機器６００の他の部分は従来技術を参考してもよく、その説明が省略される。
【００５９】
第１の送信部６０１は、ハンドオーバを行う際に、第１の周波数の測定報告を遅延させる、或いは送信しない。第１の周波数は、ユーザ機器が関心のあるマルチメディアブロードキャストマルチキャストサービス（ＭＢＭＳ）を提供しない。
【００６０】
これによって、ユーザ機器が関心のあるＭＢＭＳを提供する周波数の測定報告を最も早く送信できるため、ＭＢＭＳの連続性を十分に確保できる。
【００６１】
図７は、本発明の実施例に係るユーザ機器の他の構成を示す図である。図７に示すように、ユーザ機器７００は第１の送信部７０１を含む。また、ユーザ機器７００は、判断部７０２をさらに含んでもよい。
【００６２】
判断部７０２は、基地局がＭＢＭＳの連続性を保証できるか否かを判断し、第１の送信部７０１は、基地局がＭＢＭＳの連続性を保証できない場合は、第１の周波数の測定報告を遅延させる、或いは送信しない。
【００６３】
具体的に実施する際に、該基地局は３ＧＰＰ  Ｒｅｌ−１０バージョン及びそれ以前のバージョンの基地局であってもよく、ユーザ機器はＲｅｌ−１１のＵＥであってもよい。
【００６４】
図７に示すように、ユーザ機器は第２の送信部７０３をさらに含んでもよい。第２の送信部７０３は、第２の周波数が測定報告のトリガ条件を満たした場合は、第２の周波数の測定報告を直ちに送信する。第２の周波数は、ユーザ機器が関心のあるＭＢＭＳを提供する。
【００６５】
１つの実施例では、ユーザ機器は、ＭＢＭＳの優先順位をユニキャストサービスの優先順位よりも高く設定する優先順位設定部をさらに含んでもよい。
【００６６】
もう１つの実施例では、第２の送信部７０３は、第１の周波数及び第２の周波数が測定報告のトリガ条件を同時に満たした場合は、第２の周波数の測定報告のみを直ちに送信してもよい。
【００６７】
また、第１の送信部７０１は、遅延時間が所定の第１の閾値を超えた場合は、第１の周波数の測定報告を送信してもよい。或いは、第１の送信部７０１は、第１の周波数の信号強度若しくは信号品質が所定の第２の閾値を超えた場合、及び／又は第２の周波数の信号強度若しくは信号品質が所定の第３の閾値よりも低い場合は、第１の周波数の測定報告を送信してもよい。
【００６８】
以上の実施例によれば、ユーザ機器がハンドオーバを行う際に、ユーザ機器が関心のあるＭＢＭＳを提供しない周波数の測定報告を遅延させる、或いは送信しないことで、ユーザ機器が関心のあるＭＢＭＳを提供する周波数の測定報告を最も早く送信できるため、ＭＢＭＳの連続性を十分に確保できる。
【００６９】
本発明の実施例は、ユーザ機器においてプログラムを実行する際に、コンピュータに、上記の測定報告の送信方法を前記ユーザ機器において実行させる、コンピュータ読み取り可能なプログラムをさらに提供する。
【００７０】
本発明の実施例は、コンピュータに、上記の測定報告の送信方法をユーザ機器において実行させるためのコンピュータ読み取り可能なプログラムを記録する、記録媒体をさらに提供する。
【００７１】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【００７２】
一つ以上の機能ブロックおよび/または添付の図面内の機能ブロックの一つ以上の組合せは、汎用プロセッサ、デジタル信号プロセッサ（DSP）、特定用途向け集積回路（ASIC）、フィールド・プログラマブル・ゲートとして実現されてもよいアレイ（FPGA）または他のプログラマブル論理デバイス、ディスクリートゲートまたはトランジスタ論理装置、ディスクリートハードウェアコンポーネント、またはそれらの任意の適切な組み合わせが挙げられる。これらはまた、例えば、DSPとマイクロプロセッサの組み合わせとして、コンピューティング機器の組み合わせとして通信DSPと組み合わせて、または任意の他のそのような構成における1つまたは複数のマイクロプロセッサ、複数のプロセッサを実現することができる。
【００７３】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2015511797.tif 000003
【図２】
2015511797.tif 000004
【図３】
2015511797.tif 000005
【図４】
2015511797.tif 000006
【図５】
2015511797.tif 000007
【図６】
2015511797.tif 000008
【図７】
2015511797.tif 000009
【国際調査報告】
2015511797.tif 000010
2015511797.tif 000011
2015511797.tif 000012
2015511797.tif 000013